(57)【要約】【課題】電磁波の影響を低減することが可能なワイヤハーネスを提供する。【解決手段】ワイヤハーネス専用作業台上で電源線２とアース線３とを並べ、この並べた電源線２とアース線３とに関し指定区間Ｌ１を設定し、さらに、設定した指定区間Ｌ１においてアース線３に余長１３を持たせる。余長１３を形成すると、指定区間Ｌ１の両サイドの位置にテープ巻き１４を施す。次に、余長１３を配索治具１２ａから外して電源線２に巻き付ける。余長１３の巻き付けは、山形の格好を保つようにして、頂部が最後に巻き付くように行う。余長１３の頂部の位置に対しテープ巻き１５を施し電磁ノイズ対策部分４を形成する。製造後のワイヤハーネス１は、電磁ノイズ対策部分４の存在によって電磁波の影響を低減する。【選択図】図４
2007250286.tif 000002
【特許請求の範囲】
【請求項１】
電源線とアース線とを並べ、この並べた前記電源線とアース線の指定区間において前記電源線と前記アース線のいずれか一方に余長を持たせ、この前記いずれか一方をいずれか他方に巻き付けてなる、若しくは、前記指定区間において前記電源線と前記アース線とをツイストさせてなる
ことを特徴とするワイヤハーネス。
【請求項２】
請求項１に記載のワイヤハーネスにおいて、
前記指定区間における前記電源線と前記アース線とをテープ巻きにより密着させてなる
ことを特徴とするワイヤハーネス。
【請求項３】
請求項１に記載のワイヤハーネスにおいて、
前記指定区間のハーネス径を前記指定区間以外となるハーネス幹線のハーネス径よりも小さくしてなる
ことを特徴とするワイヤハーネス。
【発明の詳細な説明】
【技術分野】
【０００１】
本発明は、ワイヤハーネスに関し、詳しくは、指定区間に電磁ノイズ対策部分を有するワイヤハーネスに関する。
【背景技術】
【０００２】
自動車等の移動体には、大きな電流が流れるワイヤハーネスが設けられている。このワイヤハーネスとしては、例えばエアコンのための回路等があり、インストルメントパネルの裏側に配索されている。近年のインストルメントパネルには、ナビゲーションシステムを搭載したものが多くなってきている（例えば特許文献１参照）。インストルメントパネル裏側のエアコン回路とナビゲーションシステムとの間隔は、あまり開いてないのが現状である。
【特許文献１】特開２０００−６２４５１号公報
【発明の開示】
【発明が解決しようとする課題】
【０００３】
ワイヤハーネスに大きな電流が流れると、この電流に応じて大きな磁界が発生することから、例えばコンパスセンサを含む機器等がワイヤハーネス近傍に存在する場合には、コンパスセンサが電磁波の影響を受けてしまうことになる。これは、地磁気力の弱い地域で特に顕著になってしまうことになる。
【０００４】
対策として、大きな電流が流れるワイヤハーネスをコンパスセンサから遠ざけることが考えられるが、近年のインストルメントパネルの裏側においては、スペース面でこれを実現することは困難となっている。また、別の対策として、コンパスセンサ側に鉄板等の遮蔽部材を設けることも考えられるが、設計変更や設計の自由度を奪うことになり、更にはコストアップにもなることから、上記対策と同様に実現することは困難となっている。
【０００５】
本発明は、上述した事情に鑑みてなされたもので、電磁波の影響を低減することが可能なワイヤハーネスを提供することを課題とする。
【課題を解決するための手段】
【０００６】
上記課題を解決するためになされた請求項１記載の本発明のワイヤハーネスは、電源線とアース線とを並べ、この並べた前記電源線とアース線の指定区間において前記電源線と前記アース線のいずれか一方に余長を持たせ、この前記いずれか一方をいずれか他方に巻き付けてなる、若しくは、前記指定区間において前記電源線と前記アース線とをツイストさせてなることを特徴としている。
【０００７】
このような特徴を有する本発明によれば、指定区間において電磁力の輪が小さくなる。すなわち、指定区間においての巻き付けやツイストによって、電源線とアース線との間隔が狭まり、或いは電源線とアース線とが密着し合い、ハーネス径が指定区間以外のハーネス径よりも小さくなる。これにより電磁力の輪が小さくなる。また、巻き付けやツイストによって電磁力の輪をさらに打ち消し合うようにすることも可能になる。本発明は、電磁波の影響を受けやすい機器からワイヤハーネスを遠ざけることが困難な場合に特に有用となる。
【０００８】
請求項２記載の本発明のワイヤハーネスは、請求項１に記載のワイヤハーネスにおいて、前記指定区間における前記電源線と前記アース線とをテープ巻きにより密着させてなることを特徴としている。また、請求項３記載の本発明のワイヤハーネスは、請求項１に記載のワイヤハーネスにおいて、前記指定区間のハーネス径を前記指定区間以外となるハーネス幹線のハーネス径よりも小さくしてなることを特徴としている。
【０００９】
このような特徴を有する本発明によれば、指定区間における電磁力の輪が指定区間以外となるハーネス幹線よりも確実に小さくなる。
【発明の効果】
【００１０】
請求項１に記載された本発明によれば、電磁波の影響を低減することができるという効果を奏する。また、請求項２、３に記載された本発明によれば、より一層電磁力の輪を小さくすることができるという効果を奏する。
【発明を実施するための最良の形態】
【００１１】
以下、図面を参照しながら説明する。図１は本発明のワイヤハーネスの一実施の形態を示す模式的な図であり、（ａ）はワイヤハーネスの全体図、（ｂ）はワイヤハーネスの要部拡大図である。また、図２はハーネス径及び磁束に関する説明図であり、（ａ）は本発明のワイヤハーネスに対応する説明図、（ｂ）は比較例の説明図である。さらに、図３は電磁力の輪に関する説明図であり、（ａ）は本発明のワイヤハーネスに対応する説明図、（ｂ）は比較例の説明図である。
【００１２】
図１において、引用符号１は本発明に係るワイヤハーネスを示している。ワイヤハーネス１は、電源線２（図中のＷＨ（＋線））とアース線３（図中のＷＨ（−線））とを備えて構成されている（主要なハーネスのみが図示されている。他のハーネスの設定は任意であるものとする）。ワイヤハーネス１は、特に限定するものでないが、例えばインストルメントパネル裏に配索されるエアコン回路（ブロア回路）であって、電源線２には大電流が流れるようになっている。電源線２とアース線３は、所定の間隔をあけて並んで配索されており、指定区間Ｌ１のみが擬似的なツイスト状態、すなわち電磁ノイズ対策部分４を有するようになっている。
【００１３】
ワイヤハーネス１は、指定区間Ｌ１を設定し、ここに擬似的ツイスト状態の電磁ノイズ対策部分４を有する点が特徴となっている。また、電磁ノイズ対策部分４の構造自体も特徴となっている。
【００１４】
指定区間Ｌ１は、インストルメントパネルに設けられる、電磁波の影響を受けやすい機器５（コンパスセンサを含むナビゲーションシステム等）に対応して範囲が設定されている。電磁ノイズ対策部分４と機器５との間隔Ｌ２は、従来の間隔のままである（言い換えれば従来の間隔のままであっても問題点を解消することができる）。
【００１５】
図１ないし図３において、電磁ノイズ対策部分４は、指定区間Ｌ１においてアース線３を電源線２に巻き付けてなっている（この逆であっても良いものとする）。電磁ノイズ対策部分４では、電源線２とアース線３とが密着し合い、電磁ノイズ対策部分４のハーネス径が指定区間Ｌ１以外となるハーネス幹線のハーネス径（図中の破線６がハーネス幹線の外径を示している）よりも十分に小さくなるように設定されている。
【００１６】
ここで、図中の破線６をハーネス幹線の外径とし、また、矢印７を電流方向とし、さらに、引用符号８を磁束の方向として、電磁ノイズ対策部分４と比較例との比較について説明すると、比較例は、各図（ｂ）においてハーネス幹線の外径６を形成するように配索される比較用電源線９及び比較用アース線１０を有している。これら比較用電源線９及び比較用アース線１０は、ハーネス幹線と同様に非ツイスト状態となっている。
【００１７】
図１ないし図３から分かるように、電磁ノイズ対策部分４は、電源線２とアース線３とが密着し合うように形成されることから（電源線２とアース線３との間隔が狭まるように形成されることから）、電磁力の輪１１による影響が及ぶ範囲が比較例よりも小さくなっている（図３参照）。また、電磁ノイズ対策部分４は、擬似的なツイスト状態に形成されることから、電磁力の輪１１が打ち消されるようにもなっている。従って、電磁ノイズ対策部分４は、電磁波の影響を低減することができるようになっている。
【００１８】
次に図４を参照しながら電磁ノイズ対策部分４を含むワイヤハーネス１の製造について説明する。図４（ａ）は第一工程の模式的な説明図、（ｂ）は第二工程の模式的な説明図、（ｃ）は第三工程の模式的な説明図である。尚、図中の複数の黒丸はワイヤハーネス専用作業台の配索治具１２（ホーク部材など）を示している。
【００１９】
第一工程は、ワイヤハーネス専用作業台上で電源線２とアース線３とを並べ、この並べた電源線２とアース線３とに関し指定区間Ｌ１を設定し、さらに、設定した指定区間Ｌ１においてアース線３に余長１３を持たせる工程となっている。本形態においては、図４（ａ）に示すように、アース線３を引き出して配索治具１２ａを経由させることにより余長１３が形成されている（一例であるものとする）。第一工程は、余長１３が形成されると、指定区間Ｌ１の両サイドの位置にテープ巻き１４を施す工程にもなっている。
【００２０】
第二工程は、余長１３を配索治具１２ａから外して電源線２に巻き付ける工程となっている。余長１３の巻き付けは、図４（ａ）の山形の格好を保つようにして、頂部が最後に巻き付くように行われている（このような巻き付け方法は一例であるものとする。巻き付け時のピッチ幅Ｌ３は指定、非指定のいずれであっても良いものとする）。
【００２１】
第三工程は、余長１３の上記頂部の位置に対してテープ巻き１５を施す工程となっている。テープ巻き１５を施すことにより、余長１３のばらけが防止されるようになっている。テープ巻き１５を施すと、電磁ノイズ対策部分４が形成されてワイヤハーネス１の製造が完了するようになっている。
【００２２】
尚、電磁ノイズ対策部分４は、図５（ａ）、（ｂ）に示すように形成しても良いものとする。図５（ａ）は、電源線２とアース線３とを正規にツイストさせて電磁ノイズ対策部分４を形成するようになっている。また、図５（ｂ）は、指定区間Ｌ１の全体（若しくは指定区間Ｌ１の大部分）にわたってテープ巻き１６を施して電磁ノイズ対策部分４を形成するようになっている。これら二つ場合も指定区間Ｌ１においてハーネス径が小さくなることから、電磁力の輪が小さくなり、上記同様の効果を奏することができるようになっている。
【００２３】
その他、本発明は本発明の主旨を変えない範囲で種々変更実施可能なことは勿論である。
【図面の簡単な説明】
【００２４】
【図１】本発明のワイヤハーネスの一実施の形態を示す模式的な図であり、（ａ）はワイヤハーネスの全体図、（ｂ）はワイヤハーネスの要部拡大図である。
【図２】ハーネス径及び磁束に関する説明図であり、（ａ）は本発明のワイヤハーネスに対応する説明図、（ｂ）は比較例の説明図である。
【図３】電磁力の輪に関する説明図であり、（ａ）は本発明のワイヤハーネスに対応する説明図、（ｂ）は比較例の説明図である。
【図４】ワイヤハーネスの製造についての模式的な説明図であり、（ａ）は第一工程の説明図、（ｂ）は第二工程の説明図、（ｃ）は第三工程の説明図である。
【図５】電磁ノイズ対策部分の他の例を示す模式的な図である。
【符号の説明】
【００２５】
１  ワイヤハーネス
２  電源線
３  アース線
４  電磁ノイズ対策部分
５  機器
６  ハーネス幹線の外径
７  電流方向
８  磁束の方向
９  比較用電源線
１０  比較用アース線
１１  電磁力の輪
１２  配索治具
１３  余長
１４〜１６  テープ巻き
Ｌ１  指定区間
Ｌ２  電磁ノイズ対策部分と機器との間隔
Ｌ３  巻き付け時のピッチ幅
【図１】
2007250286.tif 000003
【図２】
2007250286.tif 000004
【図３】
2007250286.tif 000005
【図４】
2007250286.tif 000006
【図５】
2007250286.tif 000007